(57)【要約】【課題】圧着端子にゴム栓付き電線を固定する際、一対のゴム栓加締め片からのゴム栓のはみ出し部分を覆い、ゴム栓のめくれや切れを防止するように構成した圧着端子のゴム栓保持構造を提供すること。【解決手段】圧着端子のゴム栓保持構造１は、圧着端子３に形成した一対のゴム栓加締め片１１ａ，１１ｂを加締めて、圧着端子３に電線７とゴム栓５とを固定するように構成されている。加締め片１１ｂには、張り出し部１３が形成されていて、ゴム栓５の固定が行われるとともに、ゴム栓５のはみ出し部分が張り出し部１３により覆われるようになっている。圧着端子３は、コネクタハウジングのキャビティに挿入される際に、ゴム栓５のはみ出し部分がめくれたり、切れたりすることがなく、挿入作業の効率、止水性が向上する。【選択図】図１
2011014420.tif 000002
【特許請求の範囲】
【請求項１】
被覆された電線を中空円筒形状のゴム栓の内部に挿通したゴム栓付き電線と、
接続端子部と、前記ゴム栓付き電線を載置する基底部を有し前記ゴム栓付き電線を固定する電線固定部と、前記電線固定部の前記基底部に設けられて前記ゴム栓を加締め固定する一対のゴム栓加締め片と、前記基底部に設けられて前記電線の端部から露出した芯線を加締め固定する一対の芯線加締め片と、を有する圧着端子と、
を備えた圧着端子のゴム栓保持構造であって、
前記ゴム栓加締め片に、前記ゴム栓よりも前記接続端子部側に張り出して前記ゴム栓の周面の一部を覆う張り出し部が形成されたことを特徴とする圧着端子のゴム栓保持構造。
【請求項２】
前記張り出し部は、その先端部が前記ゴム栓側に屈曲していることを特徴とする請求項１に記載の圧着端子のゴム栓保持構造。
【発明の詳細な説明】
【技術分野】
【０００１】
本発明は、圧着端子に設けられたゴム栓固定部により、電線と一体に加締め固定されるゴム栓の保持構造に関する。
【背景技術】
【０００２】
図８は、下記特許文献１に開示されたゴム栓付き端子圧着電線の構成を示すものである。
薄肉被覆電線１０１の端部には、一定長さだけ皮剥きされた芯線１０２が露出している。そして、この皮剥きされている芯線１０２と被覆部との境目部分にはゴム栓１０３が嵌め込まれている。ゴム栓１０３はシリコンゴムあるいはニトリルゴム等といった材質のものが使用されて、全体として円筒状に成形されている。ゴム栓１０３の後端側には適当間隔毎に図示３条のシール縁１０４が、軸方向に順にフランジ状に張り出し形成されており、ゴム栓１０３の前端部分は、端子金具１０５のインシュレーションバレル１０８により加締められる圧着部１０３ａとなっている。
【０００３】
端子金具１０５は、先端部には電気的接続のためのコンタクト部１０６が、中間部には芯線１０２を加締めるためのワイヤバレル１０７が配されており、このワイヤバレル１０７は公知の圧着機によって芯線１０２に対する加締め変形がなされる。また、端子金具１０５の後端側には上記したインシュレーションバレル１０８が配されている。インシュレーションバレル１０８は加締められる前の形状としては、ゴム栓１０３の圧着部１０３ａを挿通した状態で左右に起立する一対の加締め片であり、かつ両加締め片は左右でほぼ同じ高さとなっている。そして、インシュレーションバレル１０８は不図示の圧着機によってオーバーラップ圧着されてゴム栓１０３の圧着部１０３ａに加締め固定される。
【先行技術文献】
【特許文献】
【０００４】
【特許文献１】特開平１０−２２３２６５号公報
【発明の概要】
【発明が解決しようとする課題】
【０００５】
従来の端子金具１０５の構成にあっては、図８に圧着部１０３ａとして図示したように、ゴム栓１０３の先端部がインシュレーションバレル１０８の前方側端部からワイヤバレル１０７側にはみ出る。
【０００６】
一方、端子金具１０５は、コンタクト部１０６側から不図示のコネクタハウジングのキャビティ内に差し込まれるのであるが、この差し込み時にゴム栓１０３のはみ出た部分がキャビティの縁部に引っ掛かり、ゴム栓１０３がめくれたり、切れたりするおそれがあった。ゴム栓１０３は水分の浸潤防止、即ち止水のために設けられるのであるから、めくれや切れが生じると止水機能が損なわれる上に、引っ掛かりによって作業をやり直す等の不都合も発生する。
【０００７】
本発明の目的は、上記課題を解消することに係り、圧着端子をコネクタハウジングのキャビティに挿入する際のゴム栓のめくれや切れの発生を防止し得るように構成した圧着端子のゴム栓保持構造を提供することにある。
【課題を解決するための手段】
【０００８】
本発明の上記目的は、下記構成により達成される。
（１）被覆された電線を中空円筒形状のゴム栓の内部に挿通したゴム栓付き電線と、
接続端子部と、前記ゴム栓付き電線を載置する基底部を有し前記ゴム栓付き電線を固定する電線固定部と、前記電線固定部の前記基底部に設けられて前記ゴム栓を加締め固定する一対のゴム栓加締め片と、前記基底部に設けられて前記電線の端部から露出した芯線を加締め固定する一対の芯線加締め片と、を有する圧着端子と、
を備えた圧着端子のゴム栓保持構造であって、
前記ゴム栓加締め片に、前記ゴム栓よりも前記接続端子部側に張り出して前記ゴム栓の周面の一部を覆う張り出し部が形成されたことを特徴とする圧着端子のゴム栓保持構造。
【０００９】
（２）前記張り出し部は、その先端部が前記ゴム栓側に屈曲していることを特徴とする上記（１）に記載の圧着端子のゴム栓保持構造。
【００１０】
上記（１）の構成によれば、一対のゴム栓加締め片を加締めて、電線固定部にゴム栓付き電線を固定した際、加締め片からはみ出したゴム栓の周面の一部が張り出し部によって覆われるので、圧着端子をコネクタハウジングのキャビティに挿入する際に、加締め片からはみ出したゴム栓の端部よりも外側に位置する張り出し部がコネクタハウジングのキャビティの縁部に接する。したがって、加締め片からはみ出したゴム栓がコネクタハウジングのキャビティの縁部に当接してめくれたり切れたりすることを防止できる。
【００１１】
上記（２）の構成によれば、張り出し部が加締め片からはみ出したゴム栓の周面及び端面の一部を覆うので、圧着端子をコネクタハウジングのキャビティに挿入する際に、加締め片からはみ出したゴム栓の端部よりも外側及び接続端子部側に位置する張り出し部がコネクタハウジングのキャビティの縁部に接する。したがって、加締め片からはみ出したゴム栓がコネクタハウジングのキャビティの縁部に当接してめくれたり切れたりすることを確実に防止できる。
【発明の効果】
【００１２】
本発明による圧着端子のゴム栓保持構造によれば、一対のゴム栓加締め片を加締めて電線固定部にゴム栓付き電線を固定すると、はみ出したゴム栓の周面の一部が張り出し部によって覆われる。
【００１３】
したがって、圧着端子をコネクタハウジングのキャビティに挿入する際、ゴム栓がコネクタハウジングのキャビティの縁部等に当たってめくれたり、切れたりすることを未然に防止できる。この結果、圧着端子をコネクタハウジングのキャビティに挿入する際の作業性、ゴム栓による止水効果が向上する。
【図面の簡単な説明】
【００１４】
【図１】本発明に係る圧着端子のゴム栓保持構造の第１実施形態を示す斜視図である。
【図２】圧着端子の要部構成を示す展開図である。
【図３】圧着端子の要部構成を示す斜視図である。
【図４】圧着端子の要部構成を示す平面図である。
【図５】図４のＸ−Ｘ線矢視断面図である。
【図６】本発明の第２実施形態を示す圧着端子の要部斜視図である。
【図７】図６のＹ−Ｙ線矢視断面図である。
【図８】従来の圧着端子とゴム栓の固定構造を示す斜視図である。
【発明を実施するための形態】
【００１５】
以下、本発明に係る圧着端子のゴム栓保持構造の実施形態について、図面を参照して詳細に説明する。なお、以下に示す実施形態においては、単にゴム栓保持構造と略称する。
【００１６】
第１実施形態
本実施形態におけるゴム栓保持構造１は、図１に示すように、圧着端子３と、止水用の中空円筒形状のゴム栓５と、ゴム栓５に挿通した状態で圧着端子３に固定された電線７とを備えている。
【００１７】
圧着端子３は、図２に示すように金属板をプレス成形したものであって、接続端子部４と、ゴム栓５を装着した電線７を載置する基底部３ａを有する電線固定部６と、一対の芯線加締め片９ａ，９ｂと、一対のゴム栓加締め片１１ａ，１１ｂと、が形成されている。そして、一対のゴム栓加締め片１１ａ，１１ｂのうち接続端子部４側の加締め片１１ｂの接続端子部４側に張り出し部１３が形成されている。接続端子部４は図１では示されているが、図１以外の図では図示を省略されている。
【００１８】
なお、一対の芯線加締め片９ａ，９ｂ及び一対のゴム栓加締め片１１ａ，１１ｂは、電線７を固定するに先立って、基底部３ａから上方に折り曲げられる。この折り曲げによって、一対の芯線加締め片９ａ，９ｂ間に横断面Ｕ字状の圧着接続部９ｃが形成され、一対のゴム栓加締め片１１ａ，１１ｂ間に横断面Ｕ字状の電線載置部１１ｃが形成される。
【００１９】
ゴム栓５は、図５に断面形状で示すように全体として筒状に形成され、長手方向に形成された中空部１５内に電線７が液密に挿通される。電線７は、導電線である芯線７ａを被覆材７ｂで覆った構成になっている。なお、図３〜図７にあっては、位置決め部材１３とゴム栓５との関連を示すため、電線７は図示を省略されている。
【００２０】
圧着端子３にゴム栓５付きの電線７を固定し、且つ芯線７ａを接続する場合、被覆材７ｂの端部から芯線７ａを剥き出して圧着接続部９ｃに位置決めするとともに、電線７が挿通されたゴム栓５を電線載置部１１ｃに位置決めする。なお、ゴム栓５の位置決めに際しては、図５に示す基底部３ａに形成された斜面３ｂと電線載置部１１ｃとの角部Ｐにゴム栓５の端面５ａを合わせるようにする。
【００２１】
この状態で、公知の圧着機を用いて一対の芯線加締め片９ａ，９ｂを加締め、芯線７ａを圧着端子３に導電可能に接続する。次に、前記圧着機を用いて一対のゴム栓加締め片１１ａ，１１ｂを加締め、ゴム栓５及び電線７を圧着端子３に固定する。
【００２２】
以上のようにして、図１に示したゴム栓保持構造１が構成されるのであるが、加締め片１１ａに張り出し部１３が形成されているので、図１、図３、図４、図５に示すようにゴム栓５の周面の一部が張り出し部１３によって覆われることになる。また、張り出し部１３の張り出し寸法ａは、加締め片１１ａの側面からのゴム栓５のはみ出し寸法ｂ（図４参照）よりも大きく設定されているので、図１、図３、図４、図５に示すように張り出し部１３がゴム栓５の端面５ａよりも張り出すようになる。
【００２３】
前記構成の圧着端子３は、雌端子であり、不図示のコネクタハウジングのキャビティに接続端子部４側から挿入される。このとき、ゴム栓５の周面の一部が張り出し部１３により覆われ、しかも張り出し部１３がゴム栓５の端面５ａよりも張り出しているので、ゴム栓５がコネクタハウジングのキャビティの縁部に当たってめくれたり、切れたりすることがない。
【００２４】
したがって、圧着端子３のハウジングキャビティへの組み付け作業が効率的に行われるとともに、ゴム栓５の止水作用が向上する。
【００２５】
第２実施形態
本第２実施形態のゴム栓保持構造と、前記第１実施形態のゴム栓保持構造１とは張り出し部１３の形状が異なっている。したがって、第１実施形態と同じ部材については同一の符号を付して説明を省略あるいは簡略化する。
【００２６】
本実施形態のゴム栓保持構造１にあっては、図６及び図７に示すように張り出し部２１の先端部がゴム栓５側に折り曲げられ、ゴム栓５の周面と端面５ａの一部を覆うようになっている。即ち、前記第１実施形態では張り出し部１３がゴム栓５よりも張り出しているだけであったが、本実施形態では張り出し部１３の先端部２１がゴム栓５の端面５ａに沿うように折り曲げられている。
【００２７】
本実施形態の構成によれば、圧着端子３を前記のようにコネクタハウジングのキャビティに挿入する際、コネクタハウジングのキャビティの縁部へのゴム栓５の引っ掛かりをより確実に防止することができる。したがって、前記同様にコネクタハウジングのキャビティへの組み付け作業の効率が更に向上し、止水作用が更に向上する。
【００２８】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００２９】
例えば、本発明が適用される圧着端子としては、雄端子でもよい。
また、張り出し部の周方向の長さ寸法は、ゴム栓の長さ、直径等に応じて適宜変更可能である。
【符号の説明】
【００３０】
１  圧着端子のゴム栓保持構造
３  圧着端子
４  接続端子部
５  ゴム栓
５ａ  端面
６  電線固定部
７  電線
７ａ  芯線
７ｂ  被覆材
９ａ，９ｂ  芯線加締め片
９ｃ  圧着接続部
１１ａ，１１ｂ  ゴム栓加締め片
１１ｃ  電線載置部
１３，２１  張り出し部
１５  中空部
【図１】
2011014420.tif 000003
【図２】
2011014420.tif 000004
【図３】
2011014420.tif 000005
【図４】
2011014420.tif 000006
【図５】
2011014420.tif 000007
【図６】
2011014420.tif 000008
【図７】
2011014420.tif 000009
【図８】
2011014420.tif 000010